(57)【要約】【課題】放送番組を自動的に記録するタイマー予約を簡単且つ効率よく行ない、ミスを少なくすることを目的とする。【解決手段】一度タイマー予約を設定した番組の情報を映像記録再生装置内に記憶し、例えば番組タイトルなどの記憶された番組情報を表示して、その情報を選択することにより、放送チャンネル、放送日、開始時刻などのタイマー予約に必要なデータを設定することが出来るため、操作が簡単でミスが少ないタイマー予約装置を実現できる。【選択図】    図１
2004304739.tif 000002
【特許請求の範囲】
【請求項１】
放送番組を特定する属性を選択して番組を選択する手段と、この選択に従いタイマー予約のために必要な情報を設定する手段とからなるタイマー予約装置。
【請求項２】
請求項１の属性は放送番組のタイトルであるタイマー予約装置。
【請求項３】
請求項２の放送番組のタイトルは、ＸＤＳデータから抽出したものであるタイマー予約装置。
【請求項４】
録画終了時に、放送番組を特定する属性と放送日、開始時間等の所定データを記憶する記憶手段を備え、この記憶された属性の情報と所定データに基づきタイマー予約のために必要な情報を設定する手段とからなるタイマー予約装置。
【請求項５】
請求項４のタイマー予約装置において、前記属性の情報を表示する表示手段と、表示された複数の属性の情報から、一つを選択する選択手段とを備えてなるタイマー予約装置。
【請求項６】
請求項４のタイマー予約装置において、その放送番組の放送日に関する放送態様に応じて、放送日を自動的に変更する変更手段を備えてなるタイマー予約装置。
【請求項７】
請求項５のタイマー予約装置において、前記選択手段により選択された属性の情報に対応した所定データの修正手段を備えてなるタイマー予約装置。
【請求項８】
放送を受信して映像信号を出力するとともにＸＤＳデータを抽出するチューナーと、
前記映像信号を記録する記録装置と、
記憶手段を備えるマイクロコンピュータとを備え、
前記映像信号の記録に関連して、前記ＸＤＳデータのうち、番組を特定する属性情報と、放送日、開始時間等の所定データを、前記記憶手段に記憶させ、前記所定データを修正することにより、タイマー予約のために必要な情報を設定してなるタイマー予約装置。
【請求項９】
放送を受信して映像信号を出力するとともにＸＤＳデータを抽出するチューナーと、
前記映像信号を記録する記録装置と、
表示装置と、
入力装置と、
記憶手段を備えるマイクロコンピュータとを備え、
前記映像信号の記録に関連して、前記ＸＤＳデータのうち、番組を特定する属性情報と、放送日、開始時間等の所定データを、前記記憶手段に記憶させ、前記表示手段に少なくとも前記属性情報を表示して、記録すべき番組を選択してなるタイマー予約装置。
【発明の詳細な説明】
【０００１】
【発明の属する技術分野】
本発明は、タイマー予約装置であって、特に、連続ドラマ等のように、所定の間隔をあけて放送される放送番組の予約録画を効率よく行うことの出来るタイマー予約装置に関する。
【０００２】
【従来の技術】
従来のタイマー予約の方法には次のようなものがあった。すなわち、１）チャンネル、放送日、開始時間、終了時間（若しくは番組の継続時間）などのデータを、使用者が入力して、タイマー予約を設定する方法。２）チャンネル、放送日、開始時間、終了時間（若しくは番組の継続時間）などのデータを圧縮して作成した所定のコードを使用者が入力し、ＶＣＲなどの録画機器が、これをデコードしてタイマー予約を設定する方法等である。そして、連続ドラマ等のように、所定の間隔をあけて放送される番組を、録画するために、「毎日」、「毎週」の設定が追加で出来るようになっているものもある。例えば、上記１）の方法で、時間などの情報を設定し、更に、「毎週」の設定を行うと、以後、毎週特定の曜日、時間になると録画が開始され、連続ドラマの録画を行うことが出来る。
【０００３】
しかしながら、これらの方法は、基本的に、使用者が、数字を入力しなければならず、入力を間違えれば、録画したい番組を録画することが出来ないというミスが生じる。２）の方法では、入力の手間が削減されるが、やはり、９桁程度の数字の入力が必要であり、間違えた場合は、所望の録画が出来ないという事態が生じる。連続ドラマなどの録画においては、「毎週」などの設定が出来れば、便利ではあるが、見ることが出来ない場合にだけ録画しようとしても、必ず毎週録画する予約となるので却って不都合が生じる場合もある。例えば、たまたま別のテープが入っていて、録画するつもりが無いのに、上書きしてしまうような場合である。
【０００４】
【発明が解決しようとする課題】
以上のように、従来のタイマー予約装置では、所定の間隔を空けて、放送される放送番組の予約設定が簡単ではなく面倒であるという課題があった。本発明はこの課題を解決しようとするものであり、簡単かつ効率的でミスを犯すことが少ないタイマー予約装置を提供しようとするものである。
【０００５】
【課題を解決するための手段】
本発明は、放送番組を特定する属性（例えばＸＤＳデータから抽出した番組タイトル）を選択して番組を選択する手段と、この選択に従いタイマー予約のために必要な情報を設定する手段とからなるタイマー予約装置である。
【０００６】
また、本発明の別の特徴は、録画終了時に、放送番組を特定する属性と放送日、開始時間等の所定データを記憶する記憶手段を備え、この記憶された属性の情報と所定データに基づきタイマー予約のために必要な情報を設定する手段とからなるタイマー予約装置である。
【０００７】
更に、本発明のタイマー予約装置においては、前記属性の情報を表示する表示手段と、表示された複数の属性の情報から、一つを選択する選択手段とを備えることもできるし、更に、その放送番組の放送日に関する放送態様に応じて、放送日を自動的に変更する変更手段を備えることができる。そして、前記選択手段により選択された属性の情報に対応した所定データの修正手段を備えることもできる。
【０００８】
このように、一度タイマー予約を設定した番組の情報を機器内に記憶し、記憶された番組情報を表示して、選択することにより、次回以降のその番組の放送日などのデータを自動的に予測し、タイマー予約の情報として設定することができる。
【０００９】
【発明の実施の形態】
以下、図面に基づき、本発明の一実施例を説明する。
【００１０】
図１は、本発明の一実施例を示す概略ブロック図である。図２は、予約動作を説明するためのフローチャートであり、図３は、本発明にかかかる予約動作を説明するためのフローチャート、図４は動作中の表示画面他を示す概略図、図５も、同じく動作中の表示画面を示す概略図である。図６は、入力装置の一部を示す説明図である。
【００１１】
図１において、１はテレビ放送受信のためのアンテナ、２はアンテナからの高周波信号を受信して、記録・再生装置にて処理できる映像・音声の複合標準信号、例えばＮＴＳＣ信号を出力するチューナである。チューナ２からは、さらに、ＸＤＳデータを抽出するために、データ抽出回路３に出力が供給される。ＸＤＳとはＥｘｔｅｎｄｅｄ  Ｄａｔａ  Ｓｅｒｖｉｃｅの略であり、アメリカ合衆国において行われているテレビジョン放送のＶＢＩライン２１に重畳されている信号のことである。この信号の表すデータは番組情報、放送局情報、現在時刻情報など３２種類に及ぶ。本発明のタイマー予約装置では、これらの情報のうち、「番組タイトルデータ（現在放送中の番組名）」を利用する。ＸＤＳについては、ＥＩＡ（Ｅｌｅｃｔｒｉｃ  Ｉｎｄｕｓｔｒｉｅｓ  Ａｓｓｏｃｉａｔｉｏｎ）発行のＥＩＡ−６０８文書に詳細が記載されている。
【００１２】
記録再生装置４は、ＮＴＳＣ信号を記録し、また、その記録したＮＴＳＣ信号を再生することが出来る装置であり、記録媒体としては、ビデオテープや、記録可能なＤＶＤ、ハードディスクレコーダなどがある。製品としては、本発明にかかるタイマー予約装置が、このような映像記録再生装置に内蔵されていることが多い。以後、これを前提として説明する。
【００１３】
５は、この映像記録・再生装置の全体を制御するＣＰＵであり、データバス６を通じて、ＲＡＭ７、ＲＯＭ８と接続されている。ＲＯＭ８には、ＣＰＵ５を動作させるためのプログラムや、所定のデータが記憶されている。ＲＡＭ７には、タイマー予約情報などのデータが記憶される。ＣＰＵ５は、記録再生装置４や、チューナ２などの制御を行うため、制御ライン９によって接続されている。１０は、表示装置であり、タイマー予約情報などが表示されて、使用者とのユーザーインタフェースに用いられる。表示装置としては、映像記録再生装置に設けられたＬＣＤディスプレイなどの表示手段でもよいし、映像記録再生装置の出力が表示されるテレビジョン受像機、モニターＴＶなどへのオンスクリーン表示でもよい。１１は、操作ボタンなどが配された入力装置であり、ＣＰＵ５と接続されている。ＣＰＵ５には、入力装置を介して、種々の入力、指示が行われる。
【００１４】
次に、図２に従い、通常のタイマー予約の動作について説明する。入力装置により、タイマー予約モードへの変更が指示されると、図２に示される動作が行われる。まず、ステップ２１で、予約データの設定が行われる。予約データとは、録画しようとする放送番組の放送チャンネル、放送日、開始時間、終了時間、放送される頻度の区別（毎週か、毎日か）、ＶＴＲの場合はテープ速度などのデータであり、その入力方法は、従来からの方法であり、例えば、予約データの個々のデータをテンキーにより入力する。その後、タイマー予約モードが終了されて、ステップ２３において、待機状態となる。映像記録再生装置内に設けられている時計装置の現在時刻が、予約データにて指定される放送日、開始時間となると、タイマー録画が開始される。つまり、現在時刻が開始時刻になるまで、ステップ２３の待機状態が継続されることになる。
【００１５】
タイマー録画が開始されると、その記録される放送番組の番組データが取得され、所定データがＲＡＭ７に記憶される（ステップ２４）。そして、終了時刻まで、録画動作が継続して行われる。すなわち、ステップ２５において、現在時刻と予約データの終了時刻とが一致するまで、録画状態が継続される。録画終了時刻となれば、タイマー録画処理が終了する（ステップ２６）。すなわち、通常のタイマー予約動作によって、タイマー録画された番組の所定データがＲＡＭ７内に記憶され、映像記録再生装置において、いつでも利用できることになる。ここで、所定データは、例えば、ＸＤＳを利用して取得された番組のタイトルデータであり、さらに、予約した番組の放送チャンネル、放送日、開始時間、終了時間、映像記録再生装置がＶＣＲの場合のテープ速度（ＭＰＥＧなどにより圧縮されて記録される場合には記録ビットレート）などである。
【００１６】
次に、図３に従い、タイトル選択による予約設定動作を説明する。まず、タイトル選択による予約処理が選択されると、表示装置１０に、ＲＡＭ７に記録された所定データのうち、番組タイトル名が表示される（ステップ３１）。表示装置上に示される様子は、図４に示されている。中央の「Ｃａｌｉｆｏｒｎｉａ  Ｄｒｅａｍｓ」の部分に下線が表示されており、その番組が選択されていることを表している。選択されている番組は、図６に示されたようなカーソルキー６１、６２、６３、６４により変更できる。ＯＫボタン６５を操作することにより、現在カーソルが位置する番組タイトルが選択される。
【００１７】
ＯＫボタン６５の操作により、ある番組が選択されると、ステップ３２が終了して、次のステップ３３に進む。ステップ３３では、選択された番組の予約データが表示装置上に表示される（図５）。すなわち、放送チャンネル、日付、開始時刻、終了時刻、テープ速度が表示される。図５の状態で、予約データの編集が可能であるが、変更せずに（ステップ３４においてＮＯの選択）入力装置のＯＫボタン６５が操作されると、ステップ３５に進んで、ＲＡＭ７に記憶された、図４にて選択された番組の予約データは変更されることなく確定し、タイトル選択に基づく予約設定動作が終了する（ステップ３７）。一方、図５の状態で、カーソルが移動されて、入力装置のテンキーやカーソルキーなどを利用して、予約データが変更された場合には（例えば、放送日（Ｄａｔｅ））が変更されて、ＯＫボタン６５が押された場合）、ステップ３６に進んで変更された予約データが、ＲＡＭ７に記憶される。また、特別に放送時間が変更されたり、延長されたりしている場合は、開始及び終了時間も変更することで対応ができる。
【００１８】
図５において、表示される予約データを、常に将来の予定のデータに自動的に変更することも考えられる。すなわち、図２の処理において、録画が終了した時点で、その予約データを一週間先の日付に変更することが考えられる。もちろん、これは、毎週放送される番組についてのものであり、その番組が毎日放送されるならば、翌日の日付に変更し、毎月放送される番組であるならば、一月先の日付に変更する。その番組が、毎週放送されるか、毎日放送されるかなどの区別については、図２における、通常の予約時に設定することが出来る。そして、その情報も、先の所定データの一部として記憶することが出来る。
【００１９】
このように、通常の予約処理をすることで、ＲＡＭ７には、複数の所定データ（番組タイトルと予約データ他の組み合わせ）が、蓄積されることになる。映像記録再生装置のタイマ録画動作としては、現在時刻とＲＡＭ７に記憶されている複数の所定データの時刻とを比較して、一致した場合、対応する予約データに従って、録画動作を行えばよい。一方、先に述べたように、タイマ録画終了時に、その放送に対応する所定データを自動的に変更する処理を行う構成とした場合には、このような簡単なタイマ録画開始の基準はよくない。すなわち、使用者の意思に関係なくタイマー録画が行われることになるからである。そのために、タイマー録画が行われるためには、タイトル選択による予約が必要であるように、構成できる。これには例えば、図４の画面にて、希望の番組を選択して、図５の状態でＯＫボタン６５を操作することにより、所定データに含まれるフラグをセットし、そのフラグがセットされているデータについてのみ、タイマー録画を行うようにすればよい。
【００２０】
上記、実施例においては、放送番組を特定できる属性として、番組のタイトルを利用して、放送番組の指定を行っている。通常、番組タイトルが、最も便利であると考えられるが、番組を指定することの出来る他の属性も使用することもできる。たとえば、主演俳優の名前などを使用者が入力できるようにしてもよい。また、番組タイトルも、ＸＤＳデータに登録されているものに限らず、使用者が判別できるものを、使用者が入力するようにしてもよい。これは、実際のタイマー録画の動作は、番組を特定する属性とペアで記憶されている放送日などのデータにより実行されるからである。
【００２１】
【発明の効果】
以上述べたように本発明では、タイマー予約を簡単かつ効率的に、誤りなく行うことが出来る。すなわち、放送番組を指定する属性、例えば、番組タイトルを用いて、タイマー録画の設定が出来るために、簡単なタイマー予約の設定が可能である。また、録画が行われた時には、録画した番組を指定する属性や、放送日（及び又は曜日）、開始時間、終了時間、テープ速度など所定の情報が、映像記録再生装置内に記憶され、次にその番組に関連する番組（例えば連続ドラマにおける次回放送）のタイマ録画設定に利用することが出来るので、簡単なタイマー予約の設定が可能である。
【００２２】
また、番組タイトル等の放送番組を表す属性を表示装置に表示し、そのタイトル等を選択することにより、放送日等のタイマ予約に必要なデータをしてすることができ、簡単で、誤りの少ないタイマー予約を実現できる。
【図面の簡単な説明】
【図１】本発明の一実施例を示す概略ブロック図である。
【図２】図２は、予約動作を説明するためのフローチャートである。
【図３】図３は、予約動作を説明するためのフローチャートである。
【図４】図４は、動作中の一表示画面を示す概略図である。
【図５】図５は、動作中の別の表示画面を示す概略図である。
【図６】図６は、入力装置の一部を示す概略図である。
【符号の説明】
２：チューナ、３：データ抽出回路、４：記録再生装置、５：ＣＰＵ（マイクロコンピュータ）、７：ＲＡＭ７、１０：表示装置、１１：入力装置
【図１】
2004304739.tif 000003
【図２】
2004304739.tif 000004
【図３】
2004304739.tif 000005
【図４】
2004304739.tif 000006
【図５】
2004304739.tif 000007
【図６】
2004304739.tif 000008